(57)【要約】【課題】回転スイッチの回転検出上の不都合の発生を抑え、検出精度を向上させることの出来る電子時計を提供する。【解決手段】外部からの回転操作を受け付ける回転スイッチと、回転スイッチの回転動作を検出する回転検出部と、回転検出部による検出周波数を定める検出設定制御部と、所定の動作状態か否かを判別する動作状態判別部と、を備え、検出設定制御部は、回転検出部による検出時に、所定の動作状態であると判別された場合に、回転動作の検出周波数を所定の動作時周波数に定め、所定の動作状態ではないと判別された場合に、検出周波数を動作時周波数よりも低い所定の待機時周波数に設定する。【選択図】図２
2016031273.tif 000002
【特許請求の範囲】
【請求項１】
外部からの回転操作を受け付ける回転スイッチと、
前記回転スイッチの回転動作を検出する回転検出部と、
前記回転検出部による検出周波数を定める検出設定制御部と、
所定の動作状態か否かを判別する動作状態判別部と、
を備え、
前記検出設定制御部は、前記回転検出部による検出時に、前記所定の動作状態であると判別された場合に、前記回転動作の検出周波数を所定の動作時周波数に定め、前記所定の動作状態ではないと判別された場合に、前記検出周波数を前記動作時周波数よりも低い所定の待機時周波数に設定する
ことを特徴とする電子時計。
【請求項２】
前記回転スイッチは、所定の回転角度位置で一時的に電気接点がオンされ、
前記回転検出部は、前記電気接点がオン状態になった後、前記検出設定制御部により定められた前記検出周波数でオフ状態に戻る動作を検出する
ことを特徴とする請求項１記載の電子時計。
【請求項３】
前記検出設定制御部は、前記回転検出部による検出の開始時には、前記検出周波数を前記動作時周波数とし、当該検出動作の開始からの経過時間が所定の基準時間以上となった場合に、前記回転動作の検出周波数を前記待機時周波数に変更する
ことを特徴とする請求項１又は２記載の電子時計。
【請求項４】
所定の運動状態を検出する運動センサを備え、
前記動作状態判別部は、前記運動センサにより所定レベル以上の運動が検出されたか否かを判別し、
前記検出設定制御部は、前記回転検出部による検出の開始時には、前記検出周波数を前記動作時周波数とし、所定の基準時間以上前記運動が検出されなかった場合に、当該検出がなされない状態が継続する間、前記回転動作の検出周波数を前記待機時周波数に変更する
ことを特徴とする請求項１〜３の何れか一項に記載の電子時計。
【請求項５】
外部からの入射光量を検出する光量センサを備え、
前記動作状態判別部は、前記光量センサにより所定レベル以上の光量が検出されたか否かを判別し、
前記検出設定制御部は、前記回転検出部による検出の開始時には、前記検出周波数を前記動作時周波数とし、前記光量が検出されなかった場合に、前記回転動作の検出周波数を前記待機時周波数に変更する
ことを特徴とする請求項１〜４の何れか一項に記載の電子時計。
【請求項６】
前記回転動作が検出された直近のタイミングからの経過時間に応じて前記回転検出部により検出される回転動作を無効とするか否かを判別する第１回転動作無効判定部を備えることを特徴とする請求項１〜５の何れか一項に記載の電子時計。
【請求項７】
前記電気接点がオンである継続時間に応じて前記回転検出部により検出された回転動作を無効とするか否かを判別する第２回転動作無効判定部を備えることを特徴とする請求項２記載の電子時計。
【発明の詳細な説明】
【技術分野】
【０００１】
この発明は、回転スイッチを有する電子時計に関する。
【背景技術】
【０００２】
従来、腕時計や懐中時計などの携帯型時計には、りゅうず、押しボタンスイッチや操作キーなどが設けられて、これら入力操作に応じて指針の位置変更や照明の点灯といった動作がなされる。電子腕時計や携帯型の電子時計では、各種動作モードに応じてこれらの操作を受け付けることで、時刻表示に限られない多様な機能が実現される。
【０００３】
通常、電子機器の操作部は、実際の動作時間に比して待ち受け時間が長いので、特に携帯型の電子機器のようにバッテリ容量や負荷に制限のある電子機器では、操作性を低下させずに待ち受けの消費電力を低減させるという要求がある。特許文献１には、携帯電話などにおいてキー操作の検出用に発振待機時間のないマイクロコンピュータ（マイコン）を用い、所定時間以上操作入力が無い場合には、クロック信号自体を当該マイコンに供給せず、入力があった場合にクロック信号の供給を再開させる回路を設ける技術について開示されている。また、特許文献２には、キーの押下操作、押し状態、操作解放時（離した時）に割込み信号を発生させ、押し状態時の割込み信号でのみ信号検出を行うことで消費電力の低減と共にチャタリングの誤認識の可能性を低下させている。
【０００４】
電子時計でも、機械時計と同様にりゅうずが設けられている場合がある。電子時計で用いられるりゅうずは、通常位置から引き出されて回転動作され、所定の回転角度ごとに当該回転動作が検出される。この回転動作の検出方法の一つとして、当該回転角度ごとに電気接点が設けられ、りゅうずがこれら回転角度に応じた位置に来た場合に当該電気接点が閉じて通電するように構成されるものがあり、従来、通常位置からりゅうずが引き出されている間にだけこの通電状態のオンオフ検出を行う技術が用いられている。
【先行技術文献】
【特許文献】
【０００５】
【特許文献１】特開平６−１０２９８６号公報
【特許文献２】特開平８−１９４５７０号公報
【発明の概要】
【発明が解決しようとする課題】
【０００６】
しかしながら、りゅうずスイッチなどの回転スイッチにおいて、電気接点といった所定の位置で一時的に検出に係る動作がなされる構成を用いて回転操作を検出する場合、回転機構の劣化などにより、ユーザ操作による回転が行われた場合や、電子時計の落下衝撃などによる動作が生じた場合などに回転スイッチが通電状態の位置といった操作の検出上中途半端な位置で止まってしまう場合があり、不都合が生じ得るという課題がある。
【０００７】
この発明の目的は、回転スイッチの回転検出上の不都合の発生を抑え、検出精度を向上させることの出来る電子時計を提供することにある。
【課題を解決するための手段】
【０００８】
本発明は、上記目的を達成するため、
外部からの回転操作を受け付ける回転スイッチと、
前記回転スイッチの回転動作を検出する回転検出部と、
前記回転検出部による検出周波数を定める検出設定制御部と、
所定の動作状態か否かを判別する動作状態判別部と、
を備え、
前記検出設定制御部は、前記回転検出部による検出時に、前記所定の動作状態であると判別された場合に、前記回転動作の検出周波数を所定の動作時周波数に定め、前記所定の動作状態ではないと判別された場合に、前記検出周波数を前記動作時周波数よりも低い所定の待機時周波数に設定する
ことを特徴とする電子時計である。
【発明の効果】
【０００９】
本発明に従うと、回転スイッチの回転検出上の不都合の発生を抑えつつ検出精度を向上させることが出来るという効果がある。
【図面の簡単な説明】
【００１０】
【図１】本発明の第１実施形態の電子時計の機能構成を示すブロック図である。
【図２】回転スイッチの動作検出パターンについて説明する図である。
【図３】第１実施形態の電子時計で実行される回転スイッチの回転検出処理のフローチャートである。
【図４】第２実施形態の電子時計の機能構成を示すブロック図である。
【図５】第２実施形態の電子時計で実行される回転スイッチの回転検出処理のフローチャートである。
【図６】第３実施形態の電子時計の機能構成を示すブロック図である。
【図７】第３実施形態の電子時計で実行される回転スイッチの回転検出処理のフローチャートである。
【図８】第４実施形態及び第５実施形態の電子時計における回転スイッチの回転動作の検出動作について説明する図である。
【図９】第４実施形態の電子時計で実行される回転スイッチの回転検出処理のフローチャートである。
【図１０】第５実施形態の電子時計で実行される回転スイッチの回転検出処理のフローチャートである。
【発明を実施するための形態】
【００１１】
以下、本発明の実施の形態を図面に基づいて説明する。
［第１実施形態］
図１は、本発明の第１実施形態の電子時計１の機能構成を示すブロック図である。
【００１２】
第１実施形態の電子時計１は、ＣＰＵ４１（Central Processing Unit）（検出設定制御部、動作状態判別部）と、ＲＯＭ４２（Read Only Memory）と、ＲＡＭ４３（Random Access Memory）と、発振回路４４と、分周回路４５と、計時回路４６と、操作部４７と、標準電波受信部４８及びそのアンテナ４９と、駆動回路５１と、電源部５２と、秒針６１と、分針６２と、時針６３と、日車６４と、機能指針６５と、輪列機構７１〜７４と、ステッピングモータ８１〜８４などを備える。
【００１３】
ＣＰＵ４１は、各種演算処理を行い、また、電子時計１の全体動作を統括制御する。ＣＰＵ４１は、日時の表示に係る指針動作を制御すると共に、標準電波受信部４８を動作させて受信データを取得して日時を算出する。また、ＣＰＵ４１は、得られた日時データに基づいて、計時回路４６の計数する日時を修正する。
【００１４】
ＲＯＭ４２は、ＣＰＵ４１により実行される各種制御用のプログラム４２１や設定データを格納する。プログラム４２１には、例えば、各種機能モードの動作制御に係るプログラムが含まれている。
【００１５】
ＲＡＭ４３は、ＣＰＵ４１に作業用のメモリ空間を提供し、一時データを記憶する。
【００１６】
発振回路４４は、所定の周波数信号を生成して出力する。発振回路４４は、例えば、水晶発振器を備える。
分周回路４５は、発振回路４４から出力された周波数信号をＣＰＵ４１や計時回路４６により利用される周波数の信号に分周して出力する。出力される周波数は、ＣＰＵ４１からの制御信号により変更可能に設定されていても良い。
【００１７】
計時回路４６は、所定の日時を示す初期値に分周回路４５から入力される分周信号を計数して加算していくことにより現在の日時を計数する。この計時回路４６の計数する日時は、ＣＰＵ４１からの制御信号により修正されることが可能となっている。
【００１８】
操作部４７は、ユーザからの入力操作を受け付ける。操作部４７には、押しボタンスイッチや回転スイッチ４７１が含まれる。押しボタンスイッチの何れかが押下されたり、押下された状態から解放されたりした場合には、その旨を示す電気信号が割込信号としてＣＰＵ４１に出力される。
【００１９】
回転スイッチ４７１は、特には限られないが、電子時計１の表示面に対して側方に設けられ、表示面の略中心から電子時計１の外側面に向いた所定の一方向を回転軸として、ユーザが当該回転軸の周りを任意の角度で時計回り（正転方向）及び反時計回り（逆転方向）のいずれ向きにも回転動作させることが可能となっている。この回転スイッチ４７１は、りゅうずとは異なり、回転操作の間に回転軸が当該軸の方向に引き出されている必要がない。回転スイッチ４７１が所定の角度間隔（例えば、１２０度）で定められた回転角度位置まで回転動作されるごとに、通常では切断されている回路の所定の回路部位（電気接点）が接触変形されてこの回路部位が通電状態に変化することにより、通常のオフ信号に代えて一時的にオン信号を発生させる。また、この回転スイッチ４７１は、ばねなどを備えて、上述の回路部位を接触変形された状態から元の状態に押し戻す力が働く構成となっており、通常では、通電状態が短期間で解消されてオフ信号の出力に戻る。
【００２０】
また、操作部４７は、回転検出部４７２を備える。この回転検出部４７２は、回転スイッチ４７１から出力される信号がオン信号に変化したタイミングで割込信号を発生してＣＰＵ４１に出力する。また、回転検出部４７２は、オン信号が検出されたタイミングから所定の検出周波数でオフ信号への復帰の検出動作を行う。この信号の発生には、例えば、所定のサンプリング周波数で回転スイッチ４７１の信号を取得するＡＤＣ（アナログ／デジタル変換器）が用いられる。
本実施形態の電子時計１では、回転スイッチ４７１の早送り回転、即ち、所定の時間（例えば、０．５秒間）以内に上記所定の回転角度位置での回転検出が３回以上なされた場合に、早送り回転に応じた動作命令、例えば、指針の継続的な早送り動作などを行わせることが出来る。回転検出部４７２におけるオフ信号の検出頻度に係る通常の検出周波数（動作時周波数）は、この回転スイッチ４７１の早送り動作に係るオン信号とオフ信号の変化を確実に認識可能な周波数、例えば、１２８Ｈｚに定められる。
【００２１】
標準電波受信部４８は、アンテナ４９を用いて長波長帯の電波（標準電波）を受信して、振幅変調された標準電波の時刻信号出力（ＴＣＯ）を復調し、ＣＰＵ４１に出力する。標準電波受信部４８による長波長帯の同調周波数は、ＣＰＵ４１の制御により受信対象の標準電波送信局からの送信周波数に応じて変更される。また、標準電波受信部４８は、受信感度を向上させるための各種処理を行い、アナログ信号を所定のサンプリング周波数でデジタル化してＣＰＵ４１に出力する。
【００２２】
駆動回路５１は、ＣＰＵ４１から制御信号が入力されて、当該制御信号に応じたステッピングモータ８１〜８４に適切なタイミングで駆動信号を出力して当該ステッピングモータ８１〜８４を回転駆動する。駆動回路５１では、ＣＰＵ４１から入力される設定に基づいて駆動信号のパルス幅や駆動電圧を適宜調整可能となっている。また、一度に大きな負荷をかけないために複数のステッピングモータが同時に駆動される制御信号が入力された場合、駆動回路５１は、これらの駆動タイミングを互いに重ならない微小間隔でずらして順番にこれらのステッピングモータを回転駆動させることが出来る。
【００２３】
電源部５２は、各部の動作に係る電力を所定電圧で供給する。電源部５２は、バッテリを備え、このバッテリとしては、例えば、ソーラバッテリと二次電池とが用いられる。或いは、バッテリとしては、交換可能なボタン型の乾電池が用いられても良い。また、電源部５２から複数の異なる電圧が出力される場合には、例えば、スイッチング電源などを用いて所望の電圧に変換して出力可能な構成とすることが出来る。
【００２４】
ステッピングモータ８１は、複数の歯車の配列である輪列機構７１を介して秒針６１を回転動作させる。ステッピングモータ８１が一回駆動されると、秒針６１は、１ステップ６度回転し、ステッピングモータ８１の６０回の動作により文字盤上で一周する。
ステッピングモータ８２は、輪列機構７２を介して分針６２及び時針６３を回転動作させる。輪列機構７２は、時針６３を分針６２に連動して回転させる構成であり、分針６２を１度ずつ回転移動させると共に時針６３を１／１２度ずつ回転移動させる。
【００２５】
ステッピングモータ８３は、輪列機構７３を介して日車６４を回転動作させる。日車６４は、特には限られないが、電子時計１の指針表示用文字盤下方（裏側）に指針表示用文字盤に平行に回転自在に設けられている。文字盤には開口部が設けられている一方、日車６４の当該開口部と対向する円周上に１〜３１日の各日を示す標識が設けられて、日車６４の回転動作に伴って何れか一つの標識が開口部から露出される。ステッピングモータ８３が一回駆動されると、日車６４は、１ステップ分の角度回転移動し、１５０ステップの回転移動により３６０／３１度の回転が生じて、文字盤の開口部から露出される日付標識が１日分変化する。そして、日車６４が３１日分回転移動すると、再び最初の日付を示す日付標識が開口部から露出されることになる。
【００２６】
ステッピングモータ８４は、輪列機構７４を介して機能指針６５を回転動作させる。機能指針６５は、特には制限されないが、例えば、秒針６１、分針６２、時針６３及び日車６４とは異なる回転軸の周りを回転し、日時表示以外の内容又はその種別の表示に用いられる。輪列機構７４は、例えば、ステッピングモータ８４の一回の回転に対して機能指針６５を６度回転させる。
【００２７】
次に、本実施形態の回転スイッチ４７１の動作検出について説明する。
図２は、回転スイッチ４７１の動作検出パターンについて説明する図である。
【００２８】
本実施形態の電子時計１における回転スイッチ４７１は、通常では、オフ信号を出力し、所定の角度、例えば、１２０度回転されるごとに一回オン信号が出力される構成になっている。図２（ａ）において、オン信号が出力されると（タイミングＴ０、Ｔ２、Ｔ４、Ｔ６）、回転検出部４７２は、当該オン信号への切り替わりを割込信号としてＣＰＵ４１に出力し、ＣＰＵ４１は、回転検出部４７２に所定の周波数、例えば、１２８Ｈｚで信号の検出を開始させる。オフ信号が検出されると（タイミングＴ１、Ｔ３、Ｔ５、Ｔ７）、回転検出部４７２は、再度割込信号を出力して、ＣＰＵ４１に回転動作の検出が確定したことを伝える。ＣＰＵ４１は、この確定検出に基づいて電子時計１の動作モードに応じた動作を行う。なお、この図では、オン信号の信号レベル（電圧）がローレベル（低電圧）であるように示されているが、これに限られない。オフ信号出力期間よりも短いオン信号出力期間での電圧が接地電圧に近い方が電力消費を低減しやすいが、これに限られるものではない。或いは、オフ信号の信号レベルを負の電圧とし、オン信号の信号レベルを接地電圧としても良い。
【００２９】
上述のように、回転スイッチ４７１がオン信号を出力する通電状態は、通常では、短期間で解消される。しかしながら、適切に回転スイッチ４７１が回転し切らずに通電状態が長時間継続される場合があり、この間、１２８Ｈｚでの検出を継続すると、腕時計型の電子時計１のようにバッテリ容量に制限がある場合には、悪影響が生じ得る。そこで、図２（ｂ）に示すように、電子時計１では、所定の動作状態にある場合、ここでは、オン状態がタイミングＴ１０で検出された後の、そのまま所定時間（基準時間）以上継続した場合（タイミングＴｗ）には、待機状態に移行させて検出に係る信号のサンプリング周波数を落とす。ここでは、例えば、待機時のサンプリング周波数（待機時周波数）を１Ｈｚとする。従って、この場合には、実際のオフ信号への移行タイミングＴ１１と比較して、このオフ信号への移行を検出するタイミングＴｅがサンプリング間隔、即ち、１秒以内で遅延する場合がある。
なお、本実施形態の電子時計１では、チャタリングなどによる回転スイッチ４７１の一時的なオフに伴う誤判定を避けるため、３回続けてオフ信号を検出することでオフ信号の検出を確定する。１Ｈｚでサンプリングされている間にオフ信号が検出された場合には、サンプリング周波数を１２８Ｈｚに戻して２回目以降のオフ信号の検出を行う。
【００３０】
図３は、本実施形態の電子時計１で実行される回転スイッチ４７１の回転検出処理のＣＰＵ４１による制御手順を示すフローチャートである。この回転検出処理は、回転検出部４７２からオン信号の検出に係る割込み信号が検出されることで起動される。
【００３１】
回転検出処理が開始されると、ＣＰＵ４１は、回転検出部４７２による信号検出のサンプリング周波数を１２８Ｈｚに設定し、また、オン信号の検出からの経過時間の計数を開始する（ステップＳ１０１）。ＣＰＵ４１は、信号検出のサンプリング周波数に応じた検出タイミングであるか否かを判別し（ステップＳ１０２）、検出タイミングではないと判別された場合には（ステップＳ１０２で“ＮＯ”）、検出タイミングまで待機する（ステップＳ１０３）。それから、ＣＰＵ４１の処理は、ステップＳ１０２に戻る。
【００３２】
検出タイミングであると判別された場合には（ステップＳ１０２で“ＹＥＳ”）、ＣＰＵ４１は、回転検出部４７２が検出した信号レベルを取得する（ステップＳ１０４）。ＣＰＵ４１は、信号レベルがオフ信号に対応するレベル（電圧）であるか否かを判別する（ステップＳ１０５）。オフ信号に対応するレベルではないと判別された場合には（ステップＳ１０５で“ＮＯ”）、ＣＰＵ４１は、現在、１２８Ｈｚでの検出中であるか否かを判別する（ステップＳ１０６）。
【００３３】
１２８Ｈｚでの検出中ではないと判別された場合には（ステップＳ１０６で“ＮＯ”）、ＣＰＵ４１の処理は、ステップＳ１０２に移行する。１２８Ｈｚでの検出中であると判別された場合には（ステップＳ１０６で“ＹＥＳ”）、ＣＰＵ４１は、計数中の経過時間が所定の基準時間（例えば、３分）以上であるか否かを判別する（ステップＳ１０７）。基準時間以上ではないと判別された場合には（ステップＳ１０７で“ＮＯ”）、ＣＰＵ４１の処理は、ステップＳ１０２に戻る。基準時間以上であると判別された場合には（ステップＳ１０７で“ＹＥＳ”）、ＣＰＵ４１は、信号検出のサンプリング周波数を１Ｈｚに切り替え、また、オン信号を検出してからの経過時間の計数を終了する（ステップＳ１０８）。そして、ＣＰＵ４１の処理は、ステップＳ１０２に移行する。
【００３４】
ステップＳ１０５の判別処理で、オフ信号に対応する電圧レベルであると判別された場合には（ステップＳ１０５で“ＹＥＳ”）、ＣＰＵ４１は、所定回数（例えば、３回）続けてオフ信号に対応する電圧レベルを検出したか否かを判別する（ステップＳ１０９）。所定回数連続してオフ信号に対応する電圧レベルを検出したと判別された場合には（ステップＳ１０９で“ＹＥＳ”）、ＣＰＵ４１は、オフ信号の検出を確定し（ステップＳ１１０）、回転検出処理を終了する。所定回数続けてオフ信号に対応する電圧レベルを検出していないと判別された場合には（ステップＳ１０９で“ＮＯ”）、ＣＰＵ４１は、１Ｈｚでの検出中であるか否かを判別する（ステップＳ１１１）。１Ｈｚでの検出中ではないと判別された場合には（ステップＳ１１１で“ＮＯ”）、ＣＰＵ４１の処理は、ステップＳ１０２に戻る。１Ｈｚでの検出中であると判別された場合には（ステップＳ１１１で“ＹＥＳ”）、ＣＰＵ４１は、検出に係るサンプリング周波数を１２８Ｈｚに切り替え、また、経過時間の計数を「０」から開始する（ステップＳ１１２）。それから、ＣＰＵ４１の処理は、ステップＳ１０２に戻る。
【００３５】
以上のように第１実施形態の電子時計１は、外部からの回転操作を受け付ける回転スイッチ４７１と、回転スイッチ４７１の回転動作を検出する回転検出部４７２と、ＣＰＵ４１と、を備え、ＣＰＵ４１は、回転検出部４８２による検出周波数（サンプリング周波数）を定め（検出設定制御部）、また、所定の動作状態か否かを判別する（動作状態判別部）。ＣＰＵ４１は、回転検出部４７２による回転動作の検出時に、所定の動作状態であると判別された場合には、回転動作の検出周波数を１２８Ｈｚ（動作時周波数）に定め、所定の動作状態ではないと判別された場合に、検出周波数を１２８Ｈｚよりも低い１Ｈｚ（待機時周波数）に設定する。これにより、回転操作がなされて検出動作が開始されてから、回転スイッチ４７１が不適切な回転角度位置で止まった場合や、不慮の衝撃などで回転スイッチ４７１が不適切な回転角度位置に移動してしまった場合などに、いつまでも１２８Ｈｚでの検出動作が継続されて無駄に電力が消費される不都合を低減させることが出来る。
【００３６】
また、同時に、単に検出を停止させることで次回の回転動作の検出が中途半端に開始されるのを防ぐことが出来る。
【００３７】
また、回転スイッチ４７１は、所定の回転角度位置で一時的に電気接点がオンされる構成であり、回転検出部４７２は、電気接点がオン状態になった後、検出設定制御部により定められた検出周波数でオフ状態に戻る動作を検出する構造となっている。
従って、通常では短期間のみオン状態となる回転検出で、当該短期間のみ高周波数での回転検出を行うので、操作待受け時の電力消費を容易且つ効率的に低減することが出来る。
【００３８】
また、ＣＰＵ４１は、回転検出部４７２による検出の開始時には、検出周波数を１２８Ｈｚとし、当該検出動作の開始からの経過時間が所定の基準時間以上となった場合に、検出周波数を１Ｈｚに変更するので、通常では短期間で解消されるオン信号が動作不良などにより長期間継続される場合のみ低周波数での検出に移行することで、実際にユーザにより回転操作が行われた場合の検出不良が生じる虞を低減することが出来る。
【００３９】
［第２実施形態］
次に、第２実施形態の電子時計について説明する。
図４は、第２実施形態の電子時計１ａの機能構成を示すブロック図である。
【００４０】
この第２実施形態の電子時計１ａの構成は、第１実施形態の電子時計１に傾斜センサ５３（運動センサ）が追加された点を除いて第１実施形態の電子時計１と同一であり、同一の構成要素には同一の符号を付して説明を省略する。
【００４１】
傾斜センサ５３は、電子時計１ａの表示面の傾きを検出する。傾斜センサ５３による傾きの検出方法としては、消費電力の小さい構成であって、傾斜方向の変化が定性的に検出可能であれば特に限られず、周知の各種方法を用いることが出来る。
【００４２】
次に、第２実施形態の電子時計１ａにおける回転スイッチ４７１の回転検出動作について説明する。
図５は、第２実施形態の電子時計１ａで実行される回転スイッチ４７１の回転検出処理のＣＰＵ４１による制御手順を示すフローチャートである。
【００４３】
この回転検出処理は、第１実施形態の電子時計１で実行される回転検出処理と比較して、ステップＳ１０３の処理がステップＳ１２３及びステップＳ１２４に置き換えられた点を除き同一であり、同一の処理については、同一の符号を付して詳しい説明を省略する。
【００４４】
この回転検出処理では、ステップＳ１０２の判別処理で、検出タイミングではないと判別された場合に（ステップＳ１０２で“ＮＯ”）、ＣＰＵ４１は、１Ｈｚでの検出中であり、且つ、傾斜センサ５３により傾斜状況の変化が検出されたか否かを判別する（ステップＳ１２３）。１Ｈｚでの検出中ではないか（１２８Ｈｚでの検出中である）、又は、傾斜センサ５３により電子時計１ａの傾斜状況に変化が検出されていないと判別された場合には（ステップＳ１２３で“ＮＯ”）、ＣＰＵ４１の処理は、ステップＳ１０２に移行する。
【００４５】
１Ｈｚでの検出中であり、且つ、傾斜センサ５３により電子時計１ａの傾斜状況に変化が検出されたと判別された場合には（ステップＳ１２３で“ＹＥＳ”）、ＣＰＵ４１は、信号検出のサンプリング周波数を１２８Ｈｚに切り替え、この時点からの経過時間の計数を開始する（ステップＳ１２４）。それから、ＣＰＵ４１の処理は、ステップＳ１０２に移行する。
【００４６】
以上のように、第２実施形態の電子時計１ａは、傾斜センサ５３を備え、ＣＰＵ４１は、電子時計１ａの傾斜状態が変化したか否かを判別する。ＣＰＵ４１は、回転検出部４７２による検出の開始時には、検出周波数を１２８Ｈｚとし、所定の基準時間以上傾斜状態の変化が検出されなかった場合に、当該傾斜状態が変化しない状況が継続される間、回転動作の検出周波数を１Ｈｚに変更する。
従って、ユーザが電子時計１ａ、特に腕時計や懐中時計などを保持していない状況などで、ユーザによる操作が見込まれない状況では、検出周波数を低下させて、不要に高周波数での検出を行わない。同様に、電子時計１ａの落下の衝撃などでオン信号が出力される状態になっても、そのまま落下状態で静止する場合や、拾われてもすぐに机上などに置かれた場合などには、速やかに低周波数での検出に移行させることが出来る。
【００４７】
［第３実施形態］
次に、第３実施形態の電子時計について説明する。
図６は、第３実施形態の電子時計１ｂの機能構成を示すブロック図である。
【００４８】
この電子時計１ｂは、第１実施形態の電子時計１と比較して、光量センサ５４が追加されている点を除き、第１実施形態の電子時計１と同一の構成であり、同一の構成要素については同一の符号を付すこととして説明を省略する。
【００４９】
光量センサ５４は、電子時計１ｂの例えば表示面に入射する光の光量を検出するセンサである。光量センサ５４としては、例えば、フォトダイオードを用いることが出来る。或いは、電源部５２にソーラバッテリが用いられている場合には、当該ソーラバッテリによる発電起電力に基づいて入射光量を取得する構成であっても良い。
【００５０】
図７は、この電子時計１ｂで実行される回転スイッチ４７１の回転検出処理のＣＰＵ４１による制御手順を示すフローチャートである。
【００５１】
この回転検出処理は、第１実施形態の電子時計１で実行される回転検出処理に対し、ステップＳ１０１の処理がステップＳ１４１の処理に置き換えられ、ステップＳ１０３の処理がステップＳ１４３、Ｓ１４４の処理に置き換えられ、ステップＳ１０７、Ｓ１０８の処理がそれぞれステップＳ１４７、Ｓ１４８の処理に置き換えられ、また、ステップＳ１１２の処理がステップＳ１５２の処理に置き換えられたものである。これら以外の処理は、第１実施形態の電子時計１での各処理と同一であり、同一の符号を用いることとして詳しい説明を省略する。
【００５２】
回転検出処理が開始されると、ＣＰＵ４１は、信号検出のサンプリング周波数１２８Ｈｚに設定して検出を開始させる（ステップＳ１４１）。ステップＳ１０２の処理で、検出タイミングではないと判別された場合には（ステップＳ１０２で“ＮＯ”）、ＣＰＵ４１は、１Ｈｚでの検出中であり、且つ、光量センサ５４により検出された光量が予め設定された基準値以上であるか否かを判別する（ステップＳ１４３）。この基準値としては、特に限られないが、一例として、ユーザが指針による表示面を容易に視認可能な光量（人間の視認にかかる閾値レベル）に設定される。また、電子時計１ｂが操作部４７の押しボタンスイッチなどへの入力操作により点灯される照明を備える場合には、この光量の基準値として、当該照明の点灯時の入射光量を用いることが出来る。１Ｈｚでの検出中ではないか、又は光量が基準値以上ではないと判別された場合には（ステップＳ１４３で“ＮＯ”）、ＣＰＵ４１の処理は、ステップＳ１０２に移行する。なお、ステップＳ１４３の処理において、先に１Ｈｚでの検出中か否かを判別し、１Ｈｚでの検出中ではない場合には、光量センサ５４から光量の計測値を取得する必要はない。
【００５３】
１Ｈｚでの検出中であり、且つ、光量が基準値以上であると判別された場合には（ステップＳ１４３で“ＹＥＳ”）、ＣＰＵ４１は、信号検出のサンプリング周波数を１２８Ｈｚに切り替える（ステップＳ１４４）。それから、ＣＰＵ４１の処理は、ステップＳ１０２に移行する。
【００５４】
また、ステップＳ１０６の判別処理で、１２８Ｈｚでの検出中であると判別された場合に（ステップＳ１０６で“ＹＥＳ”）、ＣＰＵ４１は、光量センサ５４による検出光量が基準値未満であるか否かを判別する（ステップＳ１４７）。基準値未満ではないと判別された場合には（ステップＳ１４７で“ＮＯ”）、ＣＰＵ４１の処理は、ステップＳ１０２に移行する。基準値未満であると判別された場合には（ステップＳ１４７で“ＹＥＳ”）、ＣＰＵ４１は、検出に係るサンプリング周波数を１Ｈｚに切り替え（ステップＳ１４８）、それから、処理をステップＳ１０２に移行させる。なお、基準値未満の場合には、当該基準値未満の継続時間を計数して、所定時間の経過後に１Ｈｚでの検出に切り替えることとしても良いし、ステップＳ１４７の判別処理自体を１／１２８秒間隔より広い所定の間隔、例えば、１秒間隔で実行することとしても良い。
【００５５】
また、ステップＳ１１１の判別処理において、１Ｈｚでの検出中であると判別された場合には（ステップＳ１１１で“ＹＥＳ”）、ＣＰＵ４１は、サンプリング周波数を１２８Ｈｚに切り替え（ステップＳ１５２）、それから、処理をステップＳ１０２に移行させる。
【００５６】
以上のように、第３実施形態の電子時計１ｂは、外部からの入射光量を検出する光量センサ５４を備え、ＣＰＵ４１は、光量センサ５４により所定レベル以上の光量が検出されたか否かを判別する。ＣＰＵ４１は、回転検出部４７２による検出の開始時には、検出周波数を１２８Ｈｚとし、所定レベル以上の光量が検出されなかった場合に、回転動作の検出周波数を１Ｈｚに変更する。従って、オン信号が出力されたまま電子時計１ｂが収納されたり、夜間になって操作が行われない状況になったりした場合には、不要に高周波数での検出を行って電力を消費することを防ぐことが出来る。また、所定レベルとしてユーザの目視に係る閾値レベル付近に設定することで、ユーザがリアルタイムで目視するのが困難であるにも拘わらず必要以上に反応良く操作検知を行って電力を消費したり、更には、指針の自動早送りに移行させたりしてしまうことを防ぐことが出来る。
【００５７】
［第４実施形態、第５実施形態］
次に、本発明の第４実施形態及び第５実施形態の電子時計について説明する。
第４実施形態及び第５実施形態の電子時計１は、第１実施形態の電子時計１と同一の構成であるので、説明を省略する。
【００５８】
次に、これら第４実施形態及び第５実施形態の電子時計１における回転スイッチ４７１の回転検出動作について説明する。
図８は、第４実施形態及び第５実施形態の電子時計１における回転動作の検出動作について説明する図である。
【００５９】
第４実施形態及び第５実施形態の電子時計１では、所定の条件で検出されたオン信号及びオフ信号を操作に伴う回転動作ではないものとして、動作命令として扱わない。
【００６０】
図８（ａ）に示すように、第４実施形態の電子時計１では、タイミングＴ２０においてオン信号が検出された後、オフ信号が検出されるタイミングＴ２１までのオン時間（継続時間）が所定の下限値Ｔｄｎ以上所定の上限値Ｔｄｘ以下の場合には、通常通り、回転動作が行われたものとして扱われる。一方、オン時間がこの時間に入らなかった場合、例えば、図８（ｂ）に示すように、オン信号が検出されたタイミングＴ３０からオフ信号が検出されるタイミングＴ３１までのオン時間が上限値Ｔｄｘ以上となった場合には、回転動作による検出ではないものとする。
本実施形態の電子時計１では、ＣＰＵ４１は、第２回転動作無効判定部を構成する。
【００６１】
図９は、第４実施形態の電子時計１で実行される回転スイッチ４７１の回転検出処理のＣＰＵ４１による制御手順を示すフローチャートである。
【００６２】
この第４実施形態の電子時計１で実行される回転検出処理は、第１実施形態の電子時計１で実行される回転検出処理のステップＳ１０１がステップＳ１６１に置き換えられ、また、ステップＳ１７０、Ｓ１７１の処理が追加された点を除いて第１実施形態の電子時計１による回転検出処理と同一であり、同一の処理については同一の符号を付して詳しい説明を省略する。
【００６３】
回転検出処理が起動されると、ＣＰＵ４１は、信号検出のサンプリング周波数を１２８Ｈｚに設定し、また、この時点からの経過時間及びオン時間の計数を開始する（ステップＳ１６１）。
【００６４】
また、ステップＳ１０９の判別処理で、所定回数連続してオフ信号に応じた信号レベルを検出したと判別された場合（ステップＳ１０９で“ＹＥＳ”）、ＣＰＵ４１は、オン時間が予め設定された下限値以上上限値未満の範囲内であるか否かを判別する（ステップＳ１７０）。オン時間がこの範囲内であると判別された場合には（ステップＳ１７０で“ＹＥＳ”）、ＣＰＵ４１の処理は、ステップＳ１１０に移行する。この範囲内ではないと判別された場合には（ステップＳ１７０で“ＮＯ”）、ＣＰＵ４１は、検出されていたオン、オフ信号をキャンセルし（ステップＳ１７１）、回転検出処理を終了する。
【００６５】
一方、図８（ｃ）に示すように、第５実施形態の電子時計１では、ＲＡＭ４３に回転動作の検出に係るロックフラグが記憶されている。通常では、このロックフラグは、セットされており、ロックフラグのセット中には、回転動作が検出されても当該検出を動作命令の入力に係るものとして扱わない。このロックフラグは、一度オン信号及びオフ信号が検出されることで解除される（タイミングＴ４０、Ｔ４１）。そして、解除された状態で更にオン信号からオフ信号への信号レベルの変化が検出されることで、回転動作が行われたと判断されて所定の動作が行われる（タイミングＴ４３、Ｔ４５）。
本実施形態の電子時計１では、ＣＰＵ４１は、第１回転動作無効判定部を構成する。
【００６６】
また、オン信号からオフ信号への変化が検出された後、次の入力操作までの操作間隔が計数され、所定の待受時間が経過する前に次のオン信号からオフ信号への信号レベルの変化が検出された場合には、この操作間隔の値がリセットされる（Ｔ４３、Ｔ４５）。次のオン信号からオフ信号への信号レベルの変化が検出されないまま待受時間が経過した場合には（タイミングＴ４６）、ロックフラグが再びセットされる。
【００６７】
図１０は、第５実施形態の電子時計１において実行される回転スイッチ４７１の回転検出処理のＣＰＵ４１による制御手順を示すフローチャートである。
【００６８】
この回転検出処理は、第１実施形態の電子時計１による回転検出処理に対し、ステップＳ１８０、Ｓ１８１、Ｓ１９３〜Ｓ１９９が追加された点を除いて第１実施形態の電子時計１による回転検出処理と同一であり、同一処理については同一の符号を付して説明を省略する。
【００６９】
ステップＳ１０９の判別処理で、所定回数連続してオフ信号に対応する信号レベルが検出されたと判別された場合（ステップＳ１０９で“ＹＥＳ”）、ＣＰＵ４１は、現在検出ロック中であるか否かを判別する（ステップＳ１８０）。即ち、ＣＰＵ４１は、ロックフラグを参照してセットされているか否かを判別する。
【００７０】
ロック中であると判別された場合には（ステップＳ１８０で“ＹＥＳ”）、ＣＰＵ４１は、ロックフラグを解除する（ステップＳ１８１）。それから、ＣＰＵ４１の処理は、ステップＳ１９３に移行する。
【００７１】
ロック中ではない、即ち、ロックフラグが解除されていると判別された場合には（ステップＳ１８０で“ＮＯ”）、ＣＰＵ４１の処理は、ステップＳ１１０に移行する。そして、ステップＳ１１０の処理が終了すると、ＣＰＵ４１は、更に、処理をステップＳ１９３に移行させる。
【００７２】
ステップＳ１８１又はステップＳ１１０の処理からステップＳ１９３の処理に移行すると、ＣＰＵ４１は、操作間隔の計数を開始する（ステップＳ１９３）。
【００７３】
ＣＰＵ４１は、信号の検出タイミングであるか否かを判別する（ステップＳ１９４）。検出タイミングではないと判別された場合には（ステップＳ１９４で“ＮＯ”）、ＣＰＵ４１は、検出タイミングまで待機し（ステップＳ１９５）、それから、処理をステップＳ１９４に戻す。
【００７４】
検出タイミングであると判別された場合には（ステップＳ１９４で“ＹＥＳ”）、ＣＰＵ４１は、回転検出部４７２から信号レベルを取得する（ステップＳ１９６）。ＣＰＵ４１は、取得された信号が前回と今回とでオン信号からオフ信号への変化に対応する信号レベルの変化が検出されたか否かを判別する（ステップＳ１９７）。オン信号からオフ信号への変化に対応する信号レベルの変化が検出されたと判別された場合には（ステップＳ１９７で“ＹＥＳ”）、ＣＰＵ４１は、回転検出処理を終了する。
なお、ステップＳ１９６の処理でオン信号が取得された場合には、そのタイミング（Ｔ４２、Ｔ４４）で、本処理と並行して当該オン信号に基づく新たな回転検出処理が起動される。
【００７５】
オン信号からオフ信号への変化に対応する信号レベルの変化が検出されていないと判別された場合には（ステップＳ１９７で“ＮＯ”）、ＣＰＵ４１は、操作間隔が所定の待受時間以上であるか否かを判別する（ステップＳ１９８）。待受時間以上ではないと判別された場合には（ステップＳ１９８で“ＮＯ”）、ＣＰＵ４１の処理は、ステップＳ１９４に戻る。待受時間以上であると判別された場合には（ステップＳ１９８で“ＹＥＳ”）、ＣＰＵ４１は、検出ロックを設定し、即ち、ロックフラグをセットして（ステップＳ１９９）、回転検出処理を終了する。
【００７６】
なお、ステップＳ１９７でオン信号が取得されてから、オフ信号が取得されるまでの間、二つの処理を並列に実行させる代わりに、オン信号が取得された段階（タイミングＴ４２、Ｔ４４）で計数されている操作間隔の値を新たな回転検出処理に引き継いで、待受時間の経過時に検出ロックの設定を行わせるか、又は、ステップＳ１８０の処理で操作間隔と待受時間とを比較しても良い。
【００７７】
以上のように、第４実施形態の電子時計１は、電気接点がオンである継続時間に応じて回転検出部４７２により検出された回転動作を無効とするか否かを判別するので、オン信号を出力する状態で回転スイッチ４７１が止まってしまった場合に、その後、オン信号が解消されてから不要に動作命令が実行されるのを防ぐことが出来る。また、反対に、落下の衝突などにより、ユーザの正常な操作では生じ得ないような下限値よりも短時間だけオン信号が検出されたような場合にも、同様に不要な動作命令が実行されるのを防ぐことが出来る。
【００７８】
また、第５実施形態の電子時計１では、ＣＰＵ４１は、回転動作が検出された直近のタイミングからの経過時間に応じて回転検出部４７２により検出される回転動作を無効とするか否かを判別する。従って、電子時計１と他の部分との接触など、ユーザの意図から外れて回転スイッチ４７１が回転してしまった場合や、上述のオン信号が解消されずに所定時間以上続いてしまった後に再度の接触や次回の動作に伴って解消された場合の当該動作により、ユーザの意図に反して回転スイッチ４７１の回転動作に伴う動作命令が実行されてしまうのを防ぐことが出来る。
【００７９】
なお、本発明は、上記実施の形態に限られるものではなく、様々な変更が可能である。
例えば、上記実施の形態では、引き出し動作の不要な回転スイッチの場合について説明したが、従来のりゅうずであっても、りゅうずが引き出したまま放置された場合の対応技術として本発明を適用することが可能である。
【００８０】
また、上記実施の形態では、所定の回転角度位置で電気接点が一時的にオンされる構成について説明したが、反対に一時的にオフされる構成であっても良い。但し、当該所定の回転角度位置以外でオン状態の場合に消費電力が大きくなることは望ましくないので、例えば、電圧のみが変化して電流が極力流れない構成などが好ましく用いられる。また、上記実施の形態では、所定の回転角度位置で電気接点が接触変形されて一時的にオンされる構成について説明したが、他の形態、例えば、所定の回転角度位置で光学的に検出されて一時的にオンされる構成であっても良い。
【００８１】
また、上記実施の形態では、ユーザが回転スイッチ４７１の回転動作を行っていない状況を検出するための構成として、オン時間の継続時間の計測、傾斜センサによる傾斜状態の変化及び光量センサによる光量の計測を例に挙げて説明したが、これ以外のものや複数種類の組み合わせであっても良い。例えば、電子腕時計の腕との接触面の温度変化や、方位センサ（地磁気センサ）の電子腕時計に対する方位の変化などを用いて又は併用しても良い。また、回転スイッチ４７１の操作だけではなく、他の押しボタンスイッチなどの操作によっても上述の継続時間の計数をリセット（「０」に戻して再開）して１２８Ｈｚでの検出を継続しても良い。
【００８２】
また、上記第１〜第５の実施形態で示した技術は、必要に応じて適宜組み合わせたり切り離したりして利用することが出来る。例えば、傾斜センサ５３による傾斜変化の有無による検出周波数の変更と、ロックフラグの設定とを組み合わせて使用しても良い。また、ロックフラグの設定も、経過時間だけではなく、傾斜センサ５３による傾斜変化の有無や光量センサ５４による光量検出など、他のセンサによる動作検出に応じて又は動作検出を併用して行われても良い。
【００８３】
また、上記実施の形態では、１Ｈｚと１２８Ｈｚとの間での変化のみを行わせたが、他の周波数でも良く、また、待機時周波数として、複数段階の周波数を設定しても良い。例えば、時間の経過と共に２５６Ｈｚから１６Ｈｚに変更し、更に１Ｈｚに変更しても良い。また、傾斜センサ５３により傾斜変化が検出されていても、基準時間が経過した場合には、３２Ｈｚに検出周波数を変化させたり、基準時間が経過した後、光量センサ５４により基準値以上の光量が検出されない場合には、更に０．２５Ｈｚまで検出周波数を変化させたりしても良い。
【００８４】
また、上記実施の形態では、オン信号が取得されてからオフ信号が取得されるまでの間のみ１２８Ｈｚ又は１Ｈｚでの信号検出を行うこととしたが、最初のオン信号が検出されてから所定の期間、例えば、早送り動作の判定期間（例えば、０．５秒）の間、１２８Ｈｚでの信号検出を継続しても良い。
【００８５】
また、上記実施の形態では、操作検出時には、必ず１２８Ｈｚでの検出が開始されて、その後、状況に応じて１Ｈｚに変更されることとしたが、例えば、第３実施形態において、基準値以上の光量が検出されていない状況でオン信号が検出された場合には、最初から１２８Ｈｚよりも低い検出周波数で検出を開始させることとしても良い。
【００８６】
また、第５実施形態において、１２８Ｈｚでの検出から１Ｈｚでの検出に切り替える基準時間と、ロックフラグをセットする待受時間との長さとは、互いに関連付けて適宜設定されても良い。例えば、基準時間は、ロックフラグのセット状態に応じて変化させても良い。
【００８７】
また、上記実施の形態では、両方向に回転可能な回転スイッチ４７１に対して１２０度間隔の３箇所を回転検出のための回転角度位置として設定したが、これに限られない。４箇所以上であっても良い。また、回転検出位置と、これに近接する回転方向の検出位置とをセットとして、これらの検出位置が全て等間隔に配置されない形態であっても良い。また、一方向にしか回転を行わせない回転スイッチを設ける場合には、回転方向の検出を考慮しない回転角度位置の設定であっても良い。
【００８８】
また、上記実施の形態では、オン信号の検出の後オフ信号が検出された段階で回転動作であることを確定して各種動作を行わせることとしたが、オン信号が検出された段階で回転動作がなされたものとして電子時計１の動作命令を出力しても良い。この場合、実施形態４によるロックが出来ないので、所定時間内で１回目の回転動作検出のときのみオフ信号の検出まで待機する、などの判別処理を行わせることが出来る。
【００８９】
また、上記実施の形態では、ＣＰＵ４１が回転検出部４７２の動作を制御してサンプリング周波数を変化させる構成としたが、ＣＰＵ４１と回転検出部４７２とは、厳密に構成上切り分けられる必要が無く、ＣＰＵ４１が適宜制御しても良いし、回転検出部４７２が各種センサや分周回路４５などから直接情報やクロック信号を取得し、判別処理まで行ってＣＰＵ４１が実施する動作に必要な情報のみを出力することとしても良い。
【００９０】
また、上記実施の形態では、回転方向が変化（反転）する場合について説明していないが、回転方向によらず同一の処理を行わせても良いし、例えば、第４、第５実施形態の電子時計１において、種々の条件に応じて、一方向の回転のみ検出を受け付けたり検出を無効としたりすることも出来る。
【００９１】
また、上記実施の形態では、アナログ電子時計を例に挙げて説明したが、デジタル電子時計であっても良いし、或いは、指針による表示とデジタル表示とを組み合わせた電子時計であっても良い。
その他、上記実施の形態で示した構成、制御内容や手順などの具体的な細部は、本発明の趣旨を逸脱しない範囲において適宜変更可能である。
【００９２】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９３】
［付記］
＜請求項１＞
外部からの回転操作を受け付ける回転スイッチと、
前記回転スイッチの回転動作を検出する回転検出部と、
前記回転検出部による検出周波数を定める検出設定制御部と、
所定の動作状態か否かを判別する動作状態判別部と、
を備え、
前記検出設定制御部は、前記回転検出部による検出時に、前記所定の動作状態であると判別された場合に、前記回転動作の検出周波数を所定の動作時周波数に定め、前記所定の動作状態ではないと判別された場合に、前記検出周波数を前記動作時周波数よりも低い所定の待機時周波数に設定する
ことを特徴とする電子時計。
＜請求項２＞
前記回転スイッチは、所定の回転角度位置で一時的に電気接点がオンされ、
前記回転検出部は、前記電気接点がオン状態になった後、前記検出設定制御部により定められた前記検出周波数でオフ状態に戻る動作を検出する
ことを特徴とする請求項１記載の電子時計。
＜請求項３＞
前記検出設定制御部は、前記回転検出部による検出の開始時には、前記検出周波数を前記動作時周波数とし、当該検出動作の開始からの経過時間が所定の基準時間以上となった場合に、前記回転動作の検出周波数を前記待機時周波数に変更する
ことを特徴とする請求項１又は２記載の電子時計。
＜請求項４＞
所定の運動状態を検出する運動センサを備え、
前記動作状態判別部は、前記運動センサにより所定レベル以上の運動が検出されたか否かを判別し、
前記検出設定制御部は、前記回転検出部による検出の開始時には、前記検出周波数を前記動作時周波数とし、所定の基準時間以上前記運動が検出されなかった場合に、当該検出がなされない状態が継続する間、前記回転動作の検出周波数を前記待機時周波数に変更する
ことを特徴とする請求項１〜３の何れか一項に記載の電子時計。
＜請求項５＞
外部からの入射光量を検出する光量センサを備え、
前記動作状態判別部は、前記光量センサにより所定レベル以上の光量が検出されたか否かを判別し、
前記検出設定制御部は、前記回転検出部による検出の開始時には、前記検出周波数を前記動作時周波数とし、前記光量が検出されなかった場合に、前記回転動作の検出周波数を前記待機時周波数に変更する
ことを特徴とする請求項１〜４の何れか一項に記載の電子時計。
＜請求項６＞
前記回転動作が検出された直近のタイミングからの経過時間に応じて前記回転検出部により検出される回転動作を無効とするか否かを判別する第１回転動作無効判定部を備えることを特徴とする請求項１〜５の何れか一項に記載の電子時計。
＜請求項７＞
前記電気接点がオンである継続時間に応じて前記回転検出部により検出された回転動作を無効とするか否かを判別する第２回転動作無効判定部を備えることを特徴とする請求項２記載の電子時計。
【符号の説明】
【００９４】
１     電子時計
１ａ   電子時計
１ｂ   電子時計
４１   ＣＰＵ
４２   ＲＯＭ
４２１ プログラム
４３   ＲＡＭ
４４   発振回路
４５   分周回路
４６   計時回路
４７   操作部
４７１ 回転スイッチ
４７２ 回転検出部
４８   標準電波受信部
４９   アンテナ
５１   駆動回路
５２   電源部
５３   傾斜センサ
５４   光量センサ
６１   秒針
６２   分針
６３   時針
６４   日車
６５   機能指針
７１   輪列機構
７２   輪列機構
７３   輪列機構
７４   輪列機構
８１   ステッピングモータ
８２   ステッピングモータ
８３   ステッピングモータ
８４   ステッピングモータ
【図１】
2016031273.tif 000003
【図２】
2016031273.tif 000004
【図３】
2016031273.tif 000005
【図４】
2016031273.tif 000006
【図５】
2016031273.tif 000007
【図６】
2016031273.tif 000008
【図７】
2016031273.tif 000009
【図８】
2016031273.tif 000010
【図９】
2016031273.tif 000011
【図１０】
2016031273.tif 000012